【手続補正書】
【提出日】平成19年12月10日(2007.12.10)
【手続補正１】
【補正対象書類名】明細書
【補正対象項目名】発明の名称
【補正方法】変更
【補正の内容】
【発明の名称】修理品−伝票照合方法、及びこれを実行するシステム
【手続補正２】
【補正対象書類名】明細書
【補正対象項目名】特許請求の範囲
【補正方法】変更
【補正の内容】
【特許請求の範囲】
【請求項１】
複数の修理品と複数の伝票とのうちから、特定の修理品と対応する伝票とを、コンピュータにより照合する照合方法において、
前記コンピュータの受付手段により、前記修理品を保管する複数の保管場所毎の識別記号である保管場所記号を受け付けて、保管場所・修理品記号を記憶させる該コンピュータの第一の記憶領域に、各保管場所記号を記憶させる保管場所記号記憶ステップと、
前記コンピュータの受付手段により、前記伝票を収納する複数の収納位置毎の識別記号である収納位置記号を受け付けて、収納位置・伝票記号を記憶させる該コンピュータの第二の記憶領域に、各収納位置記号を記憶させる収納位置記号記憶ステップと、
を前記コンピュータに予め実行させ、
複数の前記修理品毎に付されている識別記号である修理品記号を前記コンピュータの受付手段で受け付け、該修理品記号を前記第一の記憶領域に、いずれか一の保管場所記号と関連付けて記憶させる修理品記号受付ステップと、
複数の前記伝票毎に付され、対応する修理品を判別できる識別記号である伝票記号を前記コンピュータの受付手段で受け付け、該伝票記号を前記第二の記憶領域に、いずれか一の収納位置記号と関連付けて記憶させる伝票記号受付ステップと、
複数の修理品のうち、修理が完了した特定の修理品の修理品記号を前記修理品記号受付ステップで受け付けた場合、該修理品記号に対応した伝票記号が前記第二の記憶領域に記憶されているか否かを判断する伝票有無判断ステップと、
前記伝票有無判断ステップで、前記特定の修理品の修理品記号に対応した前記伝票記号が前記第二の記憶領域に記憶されていると判断されると、前記コンピュータの表示手段により、該伝票記号と関連付けられている収納位置記号又は該収納位置記号が示す収納位置を表示させる収納位置表示ステップと、
前記伝票有無判断ステップで、前記特定の修理品の修理品記号に対応した前記伝票記号が前記第二の記憶領域に記憶されていないと判断されると、複数の保管場所のうちから、該特定の修理品を保管する保管場所の保管場所記号を前記コンピュータの受付手段で受け付け、前記第一の記憶領域に記憶されている該特定の修理品の修理品記号を該保管場所記号と関連付ける保管場所記号受付ステップと、
複数の伝票のうち、作成された特定の伝票の伝票記号を前記伝票記号受付ステップで受け付けた場合、該伝票記号に対応した修理品記号が前記第一の記憶領域に記憶されているか否かを判断する修理品有無判断ステップと、
前記修理品有無判断ステップで、前記特定の伝票の伝票記号に対応した前記修理品記号が前記第一の記憶領域に記憶されていると判断されると、前記表示手段により、該修理品記号と関連付けられている保管場所記号又は該保管場所記号が示す保管場所を表示させる保管場所表示ステップと、
前記修理品有無判断ステップで、前記特定の伝票の伝票記号に対応した前記修理品記号が前記第一の記憶領域に記憶されていないと判断されると、複数の収納位置のうちから、該特定の伝票を収納する収納位置の収納位置記号を前記コンピュータの受付手段で受け付け、前記第二の記憶領域に記憶されている該特定の伝票の伝票記号を該収納位置記号と関連付ける収納位置記号受付ステップと、
を前記コンピュータに実行させることを特徴とする修理品−伝票照合方法。
【請求項２】
複数の修理品と複数の伝票とのうちから、特定の修理品と対応する伝票とを照合する照合システムにおいて、
前記修理品を保管する複数の保管場所毎に付されている識別記号である保管場所記号が記憶されている保管場所・修理品記号記憶領域と、
前記伝票を収納しておく複数の収納位置毎に付されている識別記号である収納位置記号が記憶されている収納位置・伝票記号記憶領域と、
所定の事項を表示する表示手段と、複数の前記修理品毎に付されている識別記号である修理品記号を受け付け、該修理品記号を前記保管場所・修理品記号記憶領域に、いずれか一の保管場所記号と関連付けて記憶させる修理品記号受付手段と、
複数の前記伝票毎に付され、対応する修理品を判別できる識別記号である伝票記号を受け付け、該伝票記号を前記収納位置・伝票記号記憶領域に、いずれか一の収納位置記号と関連付けて記憶させる伝票記号受付手段と、
複数の修理品のうち、修理が完了した特定の修理品の修理品記号を前記修理品記号受付手段が受け付けた場合、該修理品記号に対応した伝票記号が前記収納位置・伝票記号記憶領域に記憶されているか否かを判断する伝票有無判断手段と、
前記伝票有無判断手段で、前記特定の修理品の修理品記号に対応した前記伝票記号が前記収納位置・伝票記憶領域に記憶されていると判断されると、該伝票記号と関連付けられている収納位置記号又は該収納位置記号が示す収納位置を前記表示手段に表示させる収納位置表示制御手段と、
前記伝票有無判断手段で、前記特定の修理品の修理品記号に対応した前記伝票記号が前記収納位置・伝票記憶領域に記憶されていないと判断されると、複数の保管場所のうちから、該特定の修理品を保管する保管場所の保管場所記号を受け付け、前記保管場所・修理品記号記憶領域に記憶されている該特定の修理品の修理品記号を該保管場所記号と関連付ける保管場所記号受付手段と、
複数の伝票のうち、作成された特定の伝票の伝票記号を前記伝票記号受付手段が受け付けた場合、該伝票記号に対応した修理品記号が前記保管場所・修理品記号記憶領域に記憶されているか否かを判断する修理品有無判断手段と、
前記修理品有無判断手段で、前記特定の伝票の伝票記号に対応した前記修理品記号が前記保管場所・修理品記号記憶領域に記憶されていると判断されると、該修理品記号と関連付けられている保管場所記号又は該保管場所記号が示す保管場所を前記表示手段に表示させる保管場所表示制御手段と、
前記修理品有無判断手段で、前記特定の伝票の伝票記号に対応した前記修理品記号が保管場所・修理品記号記憶領域に記憶されていないと判断されると、複数の収納位置のうちから、該特定の伝票を収納する収納位置の収納位置記号を受け付け、前記収納位置・伝票記号記憶領域に記憶されている該特定の伝票の伝票記号を該収納位置記号と関連付ける収納位置記号受付手段と、
を備えていることを特徴とする修理品−伝票照合システム。
【請求項３】
請求項２に記載の修理品−伝票照合システムにおいて、
前記修理品に付されている前記修理品記号、及び前記伝票に付されている伝票記号は、いずれもバーコードで表されており、
前記修理品記号受付手段及び前記伝票記号受付手段は、前記バーコードを読み取るバーコードリーダーを有している、ことを特徴とする修理品−伝票照合システム。
【請求項４】
請求項２及び３のいずれか一項に記載の修理品−伝票照合システムにおいて、
特定の伝票の伝票記号を受け付ける伝票入力確認受付手段と、
前記伝票入力確認受付手段が特定の伝票の伝票記号を受け付けると、前記収納位置・伝票記号記憶領域に該特定の伝票の伝票記号が記憶されているか否かを判断する伝票入力有無判断手段と、
前記伝票入力有無判断手段が前記特定の伝票記号が記憶されていると判断すると、該特定の伝票の収納位置又は該収納位置の収納位置記号を前記表示手段に表示させ、該特定の伝票の伝票記号が記憶されていないと判断すると、該特定の伝票の入力は無い旨を前記表示手段に表示させる伝票入力有無表示制御手段と、
特定の修理品の修理品記号を受け付ける修理品入力確認手段と、
前記修理品入力確認手段が特定の修理品の修理品記号を受け付けると、前記保管場所・修理品記号記憶領域に該特定の修理品の修理品記号が記憶されているか否かを判断する修理品入力有無判断手段と、
前記修理品有無判断手段が前記特定の修理品の修理品記号が記憶されていると判断すると、該特定の修理品の保管場所又は保管場所記号を前記表示手段に表示させ、該特定の修理品の修理品記号が記憶されていないと判断すると、該特定の修理品の入力は無い旨を前記表示手段に表示させる修理品入力有無表示制御手段と、
を有することを特徴とする修理品−伝票照合システム。
【請求項５】
請求項２から４のいずれか一項に記載の修理品−伝票照合システムにおいて、
修理品在庫数の確認を受け付ける在庫数確認受付手段と、
前記在庫数確認受付手段が修理品在庫数の確認を受け付けると、前記保管場所・修理品記号記憶領域に記憶されている１以上の修理品記号のうち、前記伝票有無判断手段で、該修理品記号に対応した前記伝票記号が前記収納位置・伝票記憶領域に記憶されていないと判断された修理品記号の数を調べる在庫数確認手段と、
前記在庫数確認手段が調べた前記修理品記号の数を前記表示手段に表示させる在庫数表示制御手段と、
を有することを特徴とする修理品−伝票照合システム。
【請求項６】
請求項２から５のいずれか一項に記載の修理品−伝票照合システムにおいて、
前記保管場所受付手段及び前記保管場所表示制御は、前記表示手段に、複数の保管場所を含む保管区域内のレイアウトを表示させる、
ことを特徴とする修理品−伝票照合システム。
【手続補正３】
【補正対象書類名】明細書
【補正対象項目名】０００１
【補正方法】変更
【補正の内容】
【０００１】
【発明の属する技術分野】
本発明は、複数の修理品と複数の伝票とのうちから、特定の修理品と対応する伝票とを照合する方法、及びこれを実行するシステムに関する。
【手続補正４】
【補正対象書類名】明細書
【補正対象項目名】０００６
【補正方法】変更
【補正の内容】
【０００６】
そこで、本発明は、上記従来技術の問題点を踏まえ、修理品と伝票との照合の手間を軽減することができる照合方法、及びこれを実行するシステムを提供することを目的とする。
【手続補正５】
【補正対象書類名】明細書
【補正対象項目名】０００７
【補正方法】変更
【補正の内容】
【０００７】
【課題を解決するための手段】
前記目的を達成するための照合方法は、
コンピュータの受付手段により、前記修理品を保管する複数の保管場所毎の識別記号である保管場所記号を受け付けて、保管場所・修理品記号を記憶させる該コンピュータの第一の記憶領域に、各保管場所記号を記憶させる保管場所記号記憶ステップと、前記コンピュータの受付手段により、前記伝票を収納する複数の収納位置毎の識別記号である収納位置記号を受け付けて、収納位置・伝票記号を記憶させる該コンピュータの第二の記憶領域に、各収納位置記号を記憶させる収納位置記号記憶ステップと、を前記コンピュータに予め実行させ、
複数の前記修理品毎に付されている識別記号である修理品記号を前記コンピュータの受付手段で受け付け、該修理品記号を前記第一の記憶領域に、いずれか一の保管場所記号と関連付けて記憶させる修理品記号受付ステップと、複数の前記伝票毎に付され、対応する修理品を判別できる識別記号である伝票記号を前記コンピュータの受付手段で受け付け、該伝票記号を前記第二の記憶領域に、いずれか一の収納位置記号と関連付けて記憶させる伝票記号受付ステップと、複数の修理品のうち、修理が完了した特定の修理品の修理品記号を前記修理品記号受付ステップで受け付けた場合、該修理品記号に対応した伝票記号が前記第二の記憶領域に記憶されているか否かを判断する伝票有無判断ステップと、前記伝票有無判断ステップで、前記特定の修理品の修理品記号に対応した前記伝票記号が前記第二の記憶領域に記憶されていると判断されると、前記コンピュータの表示手段により、該伝票記号と関連付けられている収納位置記号又は該収納位置記号が示す収納位置を表示させる収納位置表示ステップと、前記伝票有無判断ステップで、前記特定の修理品の修理品記号に対応した前記伝票記号が前記第二の記憶領域に記憶されていないと判断されると、複数の保管場所のうちから、該特定の修理品を保管する保管場所の保管場所記号を前記コンピュータの受付手段で受け付け、前記第一の記憶領域に記憶されている該特定の修理品の修理品記号を該保管場所記号と関連付ける保管場所記号受付ステップと、複数の伝票のうち、作成された特定の伝票の伝票記号を前記伝票記号受付ステップで受け付けた場合、該伝票記号に対応した修理品記号が前記第一の記憶領域に記憶されているか否かを判断する修理品有無判断ステップと、前記修理品有無判断ステップで、前記特定の伝票の伝票記号に対応した前記修理品記号が前記第一の記憶領域に記憶されていると判断されると、前記表示手段により、該修理品記号と関連付けられている保管場所記号又は該保管場所記号が示す保管場所を表示させる保管場所表示ステップと、前記修理品有無判断ステップで、前記特定の伝票の伝票記号に対応した前記修理品記号が前記第一の記憶領域に記憶されていないと判断されると、複数の収納位置のうちから、該特定の伝票を収納する収納位置の収納位置記号を前記コンピュータの受付手段で受け付け、前記第二の記憶領域に記憶されている該特定の伝票の伝票記号を該収納位置記号と関連付ける収納位置記号受付ステップと、を前記コンピュータに実行させることを特徴とするものである。
【手続補正６】
【補正対象書類名】明細書
【補正対象項目名】０００８
【補正方法】変更
【補正の内容】
【０００８】
前記目的を達成するための照合システムは、
修理品を保管する複数の保管場所毎に付されている識別記号である保管場所記号が記憶されている保管場所・修理品記号記憶領域と、伝票を収納しておく複数の収納位置毎に付されている識別記号である収納位置記号が記憶されている収納位置・伝票記号記憶領域と、所定の事項を表示する表示手段と、複数の前記修理品毎に付されている識別記号である修理品記号を受け付け、該修理品記号を前記保管場所・修理品記号記憶領域に、いずれか一の保管場所記号と関連付けて記憶させる修理品記号受付手段と、複数の前記伝票毎に付され、対応する修理品を判別できる識別記号である伝票記号を受け付け、該伝票記号を前記収納位置・伝票記号記憶領域に、いずれか一の収納位置記号と関連付けて記憶させる伝票記号受付手段と、複数の修理品のうち、修理が完了した特定の修理品の修理品記号を前記修理品記号受付手段が受け付けた場合、該修理品記号に対応した伝票記号が前記収納位置・伝票記号記憶領域に記憶されているか否かを判断する伝票有無判断手段と、前記伝票有無判断手段で、前記特定の修理品の修理品記号に対応した前記伝票記号が前記収納位置・伝票記憶領域に記憶されていると判断されると、該伝票記号と関連付けられている収納位置記号又は該収納位置記号が示す収納位置を前記表示手段に表示させる収納位置表示制御手段と、前記伝票有無判断手段で、前記特定の修理品の修理品記号に対応した前記伝票記号が前記収納位置・伝票記憶領域に記憶されていないと判断されると、複数の保管場所のうちから、該特定の修理品を保管する保管場所の保管場所記号を受け付け、前記保管場所・修理品記号記憶領域に記憶されている該特定の修理品の修理品記号を該保管場所記号と関連付ける保管場所記号受付手段と、複数の伝票のうち、作成された特定の伝票の伝票記号を前記伝票記号受付手段が受け付けた場合、該伝票記号に対応した修理品記号が前記保管場所・修理品記号記憶領域に記憶されているか否かを判断する修理品有無判断手段と、前記修理品有無判断手段で、前記特定の伝票の伝票記号に対応した前記修理品記号が前記保管場所・修理品記号記憶領域に記憶されていると判断されると、該修理品記号と関連付けられている保管場所記号又は該保管場所記号が示す保管場所を前記表示手段に表示させる保管場所表示制御手段と、前記修理品有無判断手段で、前記特定の伝票の伝票記号に対応した前記修理品記号が保管場所・修理品記号記憶領域に記憶されていないと判断されると、複数の収納位置のうちから、該特定の伝票を収納する収納位置の収納位置記号を受け付け、前記収納位置・伝票記号記憶領域に記憶されている該特定の伝票の伝票記号を該収納位置記号と関連付ける収納位置記号受付手段と、を備えていることを特徴とするものである。